(57)【要約】      （修正有）【課題】廻り縁の内部を利用して追加工事をする場合に、廻り縁の下方開放が容易に行えるようにすることを目的とする。【解決手段】廻り縁Ａを横長長尺の上部ベースチャンネル３とその外方を覆う上部カバー８で構成したものであって、上部ベースチャンネル３の下端縁にその略全長に亘り先端が上向きの係止溝１２を設けると共に、この上部ベースチャンネル３の上端縁より前方が開口し、溝壁が上下に間隙を隔てて対向する差込溝１１を設けて差込溝１１の対向面に抜け止め条１１Ａを形成し、上部カバー８の下端縁に設けた係止片１５を係止溝１２に係合すると共に、上部カバー８の差込片１４を差込溝１１に挿入し、差込片１４の上下両面に施された凸条１４Ａを抜け止め条１１Ａに嵌合した。【選択図】図３
0003135951.tif 000002
【実用新案登録請求の範囲】
【請求項１】
廻り縁Ａを横長長尺の上部ベースチャンネル３とその外方を覆う上部カバー８で構成し、上部ベースチャンネル３の下端縁にその略全長に亘り先端が上向きの係止溝１２を設けると共に、その上部ベースチャンネル３の上端縁に前方が開口し、上下に溝壁面が間隙を隔てて対向する差込溝１１を設けて当該差込溝１１の対向溝壁面に抜け止め条１１Ａを形成し、上部カバー８の下端縁に設けた係止片１５を前記係止溝１２に係合すると共に、上部カバー８の差込片１４を差込溝１１に挿入し、差込片１４の上下両面に施された凸条１４Ａを前記抜け止め条１１Ａに嵌合して成る廻り縁装置。
【考案の詳細な説明】
【技術分野】
【０００１】
本考案は、廻り縁Ａを上部ベースチャンネル３と上部カバー８とで構成した場合に、高所における上部カバー８の接合工事を簡単に行え、しかも一旦被せた上部カバー８も必要な時に簡単に開けて内部に追加工事が容易に行える廻り縁装置に関するものである。
【背景技術】
【０００２】
廻り縁Ａを上部ベースチャンネル３と上部カバー８とで構成しておき、上部ベースチャンネル３の内部に配線をしたり、追加部材の接合個所としたりすることが考えられる。その場合、ネジ止めや填め殺しにより上部カバー８を上部ベースチャンネル３に装着することが多く行われている。しかしながらネジ止めなどではその高所での着脱作業が煩瑣であり、また填め殺しの場合は外すの一寸したコツや熟練が必要で、初心者が工事を行うとカバーを破損してしまい、カバーを交換しなくてはならないことも多かった。
【考案の開示】
【考案が解決しようとする課題】
【０００３】
本考案は、高所での取付施工が容易であり、一旦施工した後の追加工事に際しての上部カバーの取外しも簡単で、高所での追加工事も簡単に行える廻り縁装置に関するものである。
【課題を解決するための手段】
【０００４】
本考案の主たる特徴は、廻り縁Ａを横長長尺の上部ベースチャンネル３とその外方を覆う上部カバー８で構成し、上部ベースチャンネル３の下端縁にその略全長に亘り先端が上向きの係止溝１２を設けると共に、上端縁より前方が開口し、上下に溝壁面が間隙を隔てて対向する差込溝１１を設けて当該差込溝１１の対向面に抜け止め条１１Ａを形成し、上部カバー８の下端縁に設けた係止片１５を前記係止溝１２に係合すると共に、上部カバー８の差込片１４を差込溝１１に挿入し、差込片１４の上下両面に施された凸条１４Ａを前記抜け止め条１１Ａに嵌合したことである。
【考案の効果】
【０００５】
本考案にあっては上述のように、廻り縁Ａを横長長尺の上部ベースチャンネル３とその外方を覆う上部カバー８で構成して上部ベースチャンネル３に上部カバー８を被せるようにしたものであるが、上部ベースチャンネル３の下端縁にその略全長に亘り先端が上向きの係止溝１２を設けると共に、上端縁より前方が開口し、上下に溝壁面が間隙を隔てて対向する差込溝１１を設けて当該差込溝１１の対向面に抜け止め条１１Ａを形成しておき、上部カバー８の下端縁に設けた係止片１５を前記係止溝１２に係合すると共に、上部カバー８の差込片１４を差込溝１１に挿入し、差込片１４の上下両面に施された凸条１４Ａを前記抜け止め条１１Ａに嵌合するようにしてあるから、施工に際しては、係止溝１２に係止片１５を係合して差込溝１１に差込片１４を差し込むことにより、抜け止め条１１Ａに凸条１４Ａが噛合って両者が外れないように施工できる。この場合、先に抜け止め条１１Ａに凸条１４Ａを差し込んでおいてから係止溝１２に係止片１５を填め込んでも同様に施工できる。
【０００６】
逆に一旦施工した後、追加工事等に際して上部カバー８を外したい場合は、図８（ａ）のように上部カバー８の係止片１５を上に押し上げると、同図（ｂ）、（ｃ）のように係止溝１２より係合が外れて上部ベースチャンネル３の内部が露出することにより、その内部に必要な追加工事を行うことができる。
【０００７】
追加工事中、係止溝１２と係止片１５の係合を外しても、抜け止め条１１Ａに凸条１４Ａが噛合っているので、上部カバー８は上部ベースチャンネル３に支持された状態に保つことができて、追加工事中は上部カバー８が落下することもない。
【０００８】
追加工事が終わり、係止溝１２に係止片１５を填め戻せば上部カバー８の填め戻しが簡単に行える。また、係止溝１２と係止片１５の係合を外す工事は、１２を持上げるだけで良いから、カバーを損傷することもない。この場合、形状記憶的に図８（ｃ）がフリーの状態としておくと、追加工事中に係止溝１２と係止片１５の係合を外すと、上部カバー８の下部が上部ベースチャンネル３より離れた状態に開放されるため、追加工事はやり易くなる。
【考案を実施するための最良の形態】
【０００９】
以下本考案を添付図面に基づき詳細に説明する。図１は本考案の一実施例の概略を示すもので、壁面２上端には天井１との境界に近接して廻り縁Ａが、床面４には壁面２に近接して幅木Ｂが現場施工で配設される。廻り縁Ａはアルミニウム、ステンレス、鉄、真鍮等強度のある素材で形成された上部ベースチャンネル３の外方を、化粧のために合成樹脂で形成されたモールとしての上部カバー８で覆って形成される。他方、幅木Ｂはアルミニウム、ステンレス、鉄、真鍮等強度のある素材で形成された下部ベースチャンネル１３に、これも外方を化粧のために合成樹脂で形成されたモールとしての下部カバー１８で覆って形成される。上部カバー８、下部カバー１８は樹脂の他、木製であっても、金属製であっても勿論構わない。
【００１０】
そして１本又は２本以上の支柱５の上下端がこの廻り縁Ａと幅木Ｂに接合されて立設され、薄型テレビやその他の家具Ｆが装着設置されるものである。尚、支柱５の下端は床面４に当接させるだけでも構わない。
【００１１】
図２は本考案の一実施例の詳細を示すもので、上部ベースチャンネル３は、必要に応じて垂直な横長帯状の基面１０の上下の中央部に全長に渡り先端が上向きの引っ掛け支持部７が設けられ、上端には差込溝１１が施され、下端縁には係止溝１２が施される。差込溝１１の上下の対向面にはそれぞれ必要に応じて楔状の抜け止めが施される。上部ベースチャンネル３は垂直な横長帯状の基面１０が壁面２上端の釘やネジが利く個所（背部に柱などの構造躯体が存在する個所）でネジ等により固着される。
【００１２】
他方、図３のように上部カバー８の上縁には差込片１４が設けられ、下縁には係止片１５が設けられていて、上部ベースチャンネル３の係止溝１２に係止片１５を係合した状態で、差込溝１１に差込片１４が嵌合される。この嵌合状態では、差込片１４の両面又は片面に施された凸条１４Ａが差込溝１１の抜け止め条１１Ａに係合して保持される。４１は施工時、天井１下面に弾接するシール片である。また、上部カバー８は力を掛けないフリーの状態では図８（ｃ）のように係止片１５が係止溝１２より遠ざかる形状に形成しておくことができる。
【００１３】
支柱５は上記上部ベースチャンネル３と同様、アルミニウム、ステンレス、鉄、真鍮等強度のある素材で形成されるもので、上端に取付部材６が装着される。図示例では取付部材６の下端部を支柱５の上端に上下位置決めしてボルト１６等で固定するようにしている。
【００１４】
この取付部材６はこれもアルミニウム、ステンレス、鉄、真鍮等強度のある素材で形成されており、上端には下方に折り返されたフック１７を有し、図３のように前記支持部７に上方より係合するようになっている。また、フック１７が支持部７に係合した状態で、取付部材６の上端よりやや下方に装着された押え具９が支持部７の下端に当接して抜け止めとなる。１９はその装着のためのボルトである。また必要に応じて取付部材６の上方部に施された凹所２０に押え具９が係合するようにしておくことができる。
【００１５】
幅木Ｂの下部ベースチャンネル１３は上開口の溝部２１を有し、下部カバー１８下面に垂設された係止片２８、２９が溝部２１に係合するようになっている。支柱５の下端は接続ブロック２５を介して下部ベースチャンネル１３に保持される。接続ブロック２５は水平な載置台３０の上下に差込ボス３１と差込脚３２が突設され、図４のように差込ボス３１が支柱５の下端に嵌合され、載置台３０が下部ベースチャンネル１３の溝部２１上縁に当接した状態で差込脚３２が溝部２１に係合される。これらの接合部分の外方は下部カバー１８で覆われる。尚、図５のように２枚の係止片２８、２９に施された抜け止めが溝部２１の開口部の突条に弾接するようにできる。
【００１６】
廻り縁Ａの上部カバー８及び幅木Ｂの下部カバー１８には施工時に必要に応じて取付部材６及び接続ブロック２５を挿通するための切欠３３、３４が位置決めして施される。また薄型テレビやその他の家具Ｆは所定の金具やボードを介して支柱５に装着されるが、支柱５は１本又は複数本を用いることができる。また、支柱５の下端は、上記以外に床面４に接地する場合もある。
【００１７】
図６は薄型テレビの設置の一例で、ボード３５の両側を図７のように連結片３６を介してボルト３７、３８で支柱５に装着し、ボード３５に装着された取付枠３９にボルト４０で家具Ｆの背面を保持するようになっている。ボード３５のサイズ、上下位置を調整することにより、家具Ｆのサイズに対応できる。ここで図７は支柱５は片側にボード３５を装着する例で、支柱５の片側のみに連結片３６を介してボード３５が装着できるタイプであり、図８は支柱５の背部の両側を凹ませて両側に連結片３６を介してボード３５を張り出すことができるタイプの例である。
【００１８】
尚、上記例は支柱５の上端を接続部材６で上部ベースチャンネル３の接続するために支持部７を設けた例を示したが、ベースチャンネル３内を配線収容に使う場合はこれはなくても構わないし、その他の形態の支持部を設けることも、勿論構わない。
【００１９】
（追加工事のやり方）
図８（ａ）は初期の施工後の状態であるが、一旦施工した後、追加工事等に際して上部カバー８を外したい場合は、上部カバー８の係止片１５を図８（ａ）のように上に押し上げると、同図（ｂ）、（ｃ）のように係止溝１２と係止片１５の係合が外れて上部ベースチャンネル３の内部が露出することにより、その内部に必要な追加工事を行う。
【００２０】
同図（ｄ）は追加工事される支柱５の接続部材６の１７を支持部７に係合し、押え具９で固定した後、上部カバー８の係止片１５を係止溝１２に填め戻す。この場合、係止溝１２と係止片１５の係合が外れても、１１Ａと１４Ａは噛合っているので、上部カバー８は上部ベースチャンネル３に支持された状態に保つことができて、追加工事中は上部カバー８が落下することもない。
【００２１】
追加工事が終われば、係止溝１２に係止片１５を填め戻せば上部カバー８の填め戻しが簡単に行える。この場合、接続部材６のように廻り縁Ａより突出するものがある場合は、必要な切欠３３を施すことになる。
【産業上の利用可能性】
【００２２】
廻り縁Ａを上部ベースチャンネル３と上部カバー８とに分けて構成し、上部ベースチャンネル３に支柱接合の機能や配線空間としの機能をさせるにあたり、一旦廻り縁の施工工事が終わった後に追加工事となることが多いが、一般にで行われる高所における上部カバーの着脱が簡単に行える利点があり、また追加工事に当り、上部カバー８の下側が開放されても、上部カバー８の上部は抜け止め条１１Ａに凸条１４Ａが保持されており、誤って外れることもない状態で下方を開放して、上部ベースチャンネル３の内部に追加工事が簡単に行えるものであり、追加工事完了後はまた上部カバー８を簡単に填め戻すことができる。しかもそのカバーの着脱時も係止片１５の部分を押し上げるだけで簡単に外せるのであって、上部カバー８に無理な力を加える必要がなく、着脱時に損傷させることがなく、したがって特殊な熟練を要することもなく、初心者でも簡単に追加工事が行えるものである。
【図面の簡単な説明】
【００２３】
【図１】本考案の一実施例の概略図。
【図２】同上の要部の拡大分解斜視図。
【図３】同上の廻り縁の分解拡大断面図。
【図４】同上の幅木の支柱下端部との接合部分の拡大断面図。
【図５】同上の幅木の化粧接合部分の拡大断面図。
【図６】同上の家具の接合部分の一例の概略説明図。
【図７】同上の片持ちタイプの支柱とボードとの接合部分の拡大断面図。
【図８】同上のカバーの着脱の作用説明図。
【００２４】
符号の説明
１  天井
２  壁面
３  上部ベースチャンネル
４  床面
５  支柱
６  取付部材
７  支持部
８  上部カバー
１１  差込溝
１１Ａ  抜け止め条
１２  係止溝
１４  差込片
１４Ａ  凸条
１５  係止片
Ａ  廻り縁
【図１】
0003135951.tif 000003
【図２】
0003135951.tif 000004
【図３】
0003135951.tif 000005
【図４】
0003135951.tif 000006
【図５】
0003135951.tif 000007
【図６】
0003135951.tif 000008
【図７】
0003135951.tif 000009
【図８】
0003135951.tif 000010